Podtech/llm-jp-corpus-v4-ja_patent huggingface dataset:
【手続補正書】
【提出日】平成18年10月3日(2006.10.3)
【手続補正１】
【補正対象書類名】明細書
【補正対象項目名】特許請求の範囲
【補正方法】変更
【補正の内容】
【特許請求の範囲】
【請求項１】  記録領域を備えた記録媒体であって、
前記記録領域は、第１領域を備え、
前記第１領域は、２以上の所定数のフレーム領域を備えた領域である第４領域を含み、
前記所定数のフレーム領域に含まれる各々のフレーム領域は、同期符号系列と、データの少なくとも一部とが記録される領域を含み、
前記第４領域の先頭に位置するフレーム領域に記録される同期符号系列は、前記第４領域に含まれるフレーム領域のうち前記第４領域の先頭に位置するフレーム領域以外のフレーム領域に記録される同期符号系列の何れともＮＲＺＩ表記で２以上の符号間距離だけ異なる、記録媒体。
【請求項２】  記録領域を備えた記録媒体に情報を記録する記録方法であって、
前記記録方法は、
２以上の所定数のフレーム領域を備えた第４領域を含む領域である第１領域を生成するステップを含み、
前記所定数のフレーム領域に含まれる各々のフレーム領域は、同期符号系列と、データの少なくとも一部とが記録される領域を含み、
前記第４領域の先頭に位置するフレーム領域に記録される同期符号系列は、前記第４領域に含まれるフレーム領域のうち前記第４領域の先頭に位置するフレーム領域以外のフレーム領域に記録される同期符号系列の何れともＮＲＺＩ表記で２以上の符号間距離だけ異なる、記録方法。
【請求項３】  記録領域を備えた記録媒体に記録された情報を再生する再生方法であって、
前記記録領域は、第１領域を備え、
前記第１領域は、２以上の所定数のフレーム領域を備えた領域である第４領域を含み、
前記所定数のフレーム領域に含まれる各々のフレーム領域は、同期符号系列と、データの少なくとも一部とが記録された領域を含み、
前記第４領域の先頭に位置するフレーム領域に記録された同期符号系列は、前記第４領域に含まれるフレーム領域のうち前記第４領域の先頭に位置するフレーム領域以外のフレーム領域に記録された同期符号系列の何れともＮＲＺＩ表記で２以上の符号間距離だけ異なり、
前記再生方法は、
前記第４領域の先頭に位置するフレーム領域に記録された同期符号系列を再生するステップと、
前記データの少なくとも一部を再生するステップと
を包含する、再生方法。
【手続補正書】
【提出日】平成18年11月7日(2006.11.7)
【手続補正１】
【補正対象書類名】明細書
【補正対象項目名】特許請求の範囲
【補正方法】変更
【補正の内容】
【特許請求の範囲】
【請求項１】微生物をテトラゾリウム化合物及び該テトラゾリウム化合物への電子キャリアーの共存下で培養し、前記テトラゾリウム化合物が還元されて生成したホルマザンを分光法により定量することで、前記の微生物の増殖及び/又は活性を測定する方法であって、前記テトラゾリウム化合物及びその還元生成であるホルマザンが水溶性であることを特徴とする方法。
【請求項２】微生物を抗菌剤、テトラゾリウム化合物及び該テトラゾリウム化合物への電子キャリアーの共存下で培養し、前記テトラゾリウム化合物が還元されて生成したホルマザンを分光法により定量することで、前記微生物の前記抗菌剤に対する感受性を評価する方法であって、前記テトラゾリウム化合物及びその還元生成であるホルマザンが水溶性であることを特徴とする方法。
【請求項３】テトラゾリウム化合物が、ジスルホネートテトラゾリウム塩である請求項１または２に記載の方法。
【請求項４】ジスルホネートテトラゾリウム塩が2-(4-ヨードフェニル)-3-(4-ニトロフェニル)-5-(2,4-ジスルホフェニル)-2H-テトラゾリウム塩または2-(4-ヨードフェニル)-3-(2,4-ジニトロフェニル)-5-(2,4-ジスルホフェニル)-2H-テトラゾリウム塩である請求項３に記載の方法。
【請求項５】 電子キャリアーが1-メトキシ-5-メチルフェナジニウム メチルスルフェートまたはフェナジニウム メチルスルフェートである請求項1〜4のいずれか一項に記載の方法。
【手続補正書】
【提出日】平成17年12月5日(2005.12.5)
【手続補正１】
【補正対象書類名】明細書
【補正対象項目名】請求項７
【補正方法】変更
【補正の内容】
【請求項７】
前記２個のセルが、共通のケーシング中に収納されたことを特徴とする請求項１記載の組み合わせ。
【手続補正２】
【補正対象書類名】明細書
【補正対象項目名】請求項２０
【補正方法】変更
【補正の内容】
【請求項２０】
固体カソードが銀バナジウム酸化物、銅銀バナジウム酸化物、二酸化マンガン、酸化コバルト、酸化ニッケル、フッ化炭素、酸化銅、硫化銅、硫化鉄、二硫化鉄、二硫化チタン、酸化銅バナジウム、及びそれらの混合物から選ばれたものであることを特徴とする請求項１５記載の組み合わせ。
【手続補正３】
【補正対象書類名】明細書
【補正対象項目名】請求項２９
【補正方法】変更
【補正の内容】
【請求項２９】
前記第１及び第２のセルの各々において、アノードがニッケル集電素子と電気接触するリチウムアノード活物質を含み、カソードがチタン集電素子と電気接触する銀バナジウムオキサイド活物質を含むとともに、前記アノード及びカソードがプロピレンカーボネートと１，２‐ジメトキシエタンの、体積比５０：５０混合物中に１．０ＭのＬｉＡｓＦ６を含む電解液によって活性化されるものであることを特徴とする請求項８記載の組み合わせ。
【手続補正４】
【補正対象書類名】明細書
【補正対象項目名】請求項４５
【補正方法】変更
【補正の内容】
【請求項４５】
前記アルカリ金属塩がＬｉＰＦ６、ＬｉＢＦ４、ＬｉＡｓＦ６、ＬｉＳｂＦ６、ＬｉＣｌＯ４、ＬｉＡｌＣｌ４、ＬｉＧａＣｌ４、ＬｉＣ（ＳＯ２ＣＦ３）３、ＬｉＮ（ＳＯ２ＣＦ３）２、ＬｉＳＣＮ、ＬｉＯ３ＳＣＦ２ＣＦ３、ＬｉＣ６Ｆ５ＳＯ３、ＬｉＯ２ＣＣＦ３、ＬｉＳＯ３Ｆ、ＬｉＢ（Ｃ６Ｈ５）４、ＬｉＣＦ３ＳＯ３、及びそれらの混合物からなるグループより選ばれたものであることを特徴とする請求項４３記載の方法。
【手続補正５】
【補正対象書類名】明細書
【補正対象項目名】請求項４６
【補正方法】変更
【補正の内容】
【請求項４６】
前記第１及び第２のセルの各々において、アノードがニッケル集電素子と電気接触するリチウムアノード活物質を含み、カソードがチタン集電素子と電気接触する銀バナジウムオキサイド活物質を含むとともに、前記アノード及びカソードがプロピレンカーボネートと１，２‐ジメトキシエタンの、体積比５０：５０混合物中に１．０ＭのＬｉＡｓＦ６を含む電解液によって活性化されるものであることを特徴とする請求項３０記載の方法。
【手続補正書】
【提出日】平成17年12月28日(2005.12.28)
【手続補正１】
【補正対象書類名】明細書
【補正対象項目名】請求項９
【補正方法】変更
【補正の内容】
【請求項９】
サービス利用者から変換対象物を受け取り、変換した電子データを該サービス利用者に送り返す電子データ化方法において、変換処理結果を変換要求元に送る際に、該変換処理結果を記憶媒体に格納して送ることを特徴とする請求項１乃至７のいずれかに記載の電子データ化方法。
【手続補正２】
【補正対象書類名】明細書
【補正対象項目名】請求項１０
【補正方法】変更
【補正の内容】
【請求項１０】
サービス利用者から変換対象物を受け取り、変換した電子データを該サービス利用者に送り返す電子データ化方法において、変換対象物の変換における処理が、変換対象物である紙文書を読取手段により画像データに変換する処理であることを特徴とする請求項６に記載の電子データ化方法。
【手続補正３】
【補正対象書類名】明細書
【補正対象項目名】請求項１１
【補正方法】変更
【補正の内容】
【請求項１１】
サービス利用者から変換対象物を受け取り、変換した電子データを該サービス利用者に送り返す電子データ化方法において、変換対象物の変換における処理が、変換対象物である紙文書を読取手段により画像データに変換し、該画像データに対してＯＣＲ処理を行い、テキストデータを抽出する処理であり、該画像データと該テキストデータをあわせたものを変換済み電子データとすることを特徴とする請求項６又は１０に記載の電子データ化方法。 
【手続補正４】
【補正対象書類名】明細書
【補正対象項目名】００１７
【補正方法】変更
【補正の内容】
【００１７】
請求項９の発明は、請求項１乃至７のいずれかの発明において、サービス利用者から変換対象物を受け取り、変換した電子データを該サービス利用者に送り返す電子データ化方法において、変換処理結果を変換要求元に送る際に、該変換処理結果を記憶媒体に格納して送ることを特徴としたものである。 
【手続補正５】
【補正対象書類名】明細書
【補正対象項目名】００１８
【補正方法】変更
【補正の内容】
【００１８】
請求項１０の発明は、請求項６の発明において、サービス利用者から変換対象物を受け取り、変換した電子データを該サービス利用者に送り返す電子データ化方法において、変換対象物の変換における処理が、変換対象物である紙文書を読取手段により画像データに変換する処理であることを特徴としたものである。 
【手続補正６】
【補正対象書類名】明細書
【補正対象項目名】００１９
【補正方法】変更
【補正の内容】
【００１９】
請求項１１の発明は、請求項６又は１０の発明において、サービス利用者から変換対象物を受け取り、変換した電子データを該サービス利用者に送り返す電子データ化方法において、変換対象物の変換における処理が、変換対象物である紙文書を読取手段により画像データに変換し、該画像データに対してＯＣＲ処理を行い、テキストデータを抽出する処理であり、該画像データと該テキストデータをあわせたものを変換済み電子データとすることを特徴としたものである。 
【手続補正７】
【補正対象書類名】明細書
【補正対象項目名】符号の説明
【補正方法】変更
【補正の内容】
【符号の説明】
１０…サービス利用者、１１…変換対象物（紙文書）、２０…紙文書電子化サービス機関、２１…スキャナ（読取手段）、２２…データ管理サーバ、２３…書庫、２４…光ディスク（記憶媒体）。
【手続補正書】
【提出日】平成18年5月17日(2006.5.17)
【手続補正１】
【補正対象書類名】明細書
【補正対象項目名】特許請求の範囲
【補正方法】変更
【補正の内容】
【特許請求の範囲】 
【請求項１】  複数の情報データ片が記録されている記録媒体から記録情報の再生を行う情報再生装置であって、
検索条件を入力する検索条件入力手段と、
前記記録媒体に記録されている前記情報データ片各々の内から前記検索条件に適合する情報データ片を検索する検索手段と、
前記検索手段によって検索された前記情報データ片各々を所定再生順番にて連続再生させるべき再生順序情報を生成する再生順序情報生成手段と、を備えたことを特徴とする情報再生装置。
【請求項２】  前記検索条件を表す語句に基づき情報データ片の名称を示す名称情報を作成する名称作成手段と、
前記名称情報と前記再生順序情報とを対応づけして記憶する記憶手段と、
前記記憶手段に記憶されている前記名称情報の中から再生対象とすべき名称情報を指定する再生指定手段と、
前記再生対象に指定された前記名称情報に対応づけされた前記再生順序情報に従って前記記録媒体から前記情報データ片の各々を連続再生する再生手段と、を更に備えたことを特徴とする請求項１記載の情報再生装置。
【請求項３】  前記所定再生順番は、前記情報データ片が前記記録媒体に記録された日付順であることを特徴とする請求項１記載の情報再生装置。
【請求項４】  前記所定再生順番は、前記情報データ片が前記記録媒体に記録された時間順であることを特徴とする請求項１記載の情報再生装置。
【請求項５】  前記所定再生順番を指定する再生順番指定手段を更に備えたことを特徴とする請求項１記載の情報再生装置。
【請求項６】  前記検索条件を表す語句が入力される検索条件入力欄と、前記記録媒体に記録されている前記情報データ片各々を示す情報又は前記検索手段によって検索された前記情報データ片各々を示す情報と、を表す編集画像を表示画面上に表示する編集画像表示手段を、更に有することを特徴とする請求項１記載の情報再生装置。
【請求項７】  前記情報データ片はテレビジョン放送された番組に対応した映像データであり、
前記検索条件は、前記番組の名称、前記番組が属するジャンル、又は前記番組の出演者を示す語句であることを特徴とする請求項１記載の情報再生装置。
【請求項８】  テレビジョン放送された番組各々に対応した複数の映像データ片が記録されている記録媒体から記録情報の再生を行う情報再生装置であって、
検索条件を表す語句を入力する検索条件入力欄と共に前記記録媒体に記録されている前記番組各々を示す番組名称のリストを表示画面上に表示する編集画像表示手段と、
前記表示画面上に表示されている前記番組名称各々に対応した番組の中から前記検索条件に適合する番組を夫々検索する検索手段と、
前記検索手段によって検索された前記番組各々を所定再生順番にて連続再生させるべき再生順序情報を生成する再生順序情報生成手段と、
前記検索条件入力欄に入力された語句に基づき番組名称を示す番組名称情報を作成する番組名称作成手段と、
前記番組名称情報と前記再生順序情報とを対応づけして前記記録媒体に記録する手段と、
前記記録媒体に記録されている前記番組名称情報の中から再生対象とすべき番組に対応した前記番組名称情報を指定する再生指定手段と、
前記再生対象に指定された前記番組名称情報に対応づけされた前記再生順序情報に従って前記記録媒体から前記番組の各々を担う前記映像データ片各々を順次再生する再生手段と、を備えたことを特徴とする情報再生装置。
【請求項９】  前記再生順序情報には、前記番組各々が記録が記録されている前記記録媒体上の領域を示す記録領域情報を含むことを特徴とする請求項８記載の情報再生装置。
【請求項１０】  複数の情報データ片が記録されている記録媒体から記録情報の再生を行う情報再生装置における情報編集方法であって、
前記記録媒体に記録されている前記情報データ片各々の内から検索条件に適合した情報データ片を検索する検索行程と、
前記検索行程によって検索された前記情報データ片各々を所定再生順番にて連続して再生させるべき再生順序情報を生成する再生順序情報生成行程と、
前記検索条件を表す語句に基づき情報データ名称を作成する名称作成行程と、
前記情報データ名称と、前記再生順序情報とを対応づけして記憶する新規情報データ生成行程と、を有することを特徴とする情報編集方法。
【請求項１１】  テレビジョン放送された番組各々に対応した複数の映像データ片が記録されている記録媒体から記録情報の再生を行う情報再生装置における情報編集方法であって、
検索条件を表す語句を入力する検索条件入力欄と共に前記記録媒体に記録されている前記番組各々を示す番組名称のリストを表示画面上に表示する編集画像表示行程と、
前記表示画面上に表示されている前記番組名称各々に対応した番組の中から前記検索条件入力欄に入力された検索条件に適合する番組を夫々検索する検索行程と、
前記検索行程にて検索された前記番組各々を所定再生順番にて連続再生させるべき再生順序情報を生成する再生順序情報生成行程と、
前記検索条件入力欄に入力された語句に基づき番組名称を示す番組名称情報を作成する番組名称作成行程と、
前記番組名称情報と前記再生順序情報とを対応づけして前記記録媒体に記録する新規番組生成行程と、を有することを特徴とする情報編集方法。
【請求項１２】  記録媒体に記録されている複数の情報データ片に基づく情報編集を行うべく制御装置によって実行される編集プログラムであって、
前記記録媒体に記録されている前記情報データ片各々の内から検索条件に適合した情報データ片を検索する検索ステップと、
前記検索ステップによって検索された前記情報データ片各々を所定再生順番にて連続して再生させるべき再生順序情報を生成する再生順序情報生成ステップと、
前記検索条件を表す語句に基づき情報データ名称を作成する名称作成ステップと、
前記情報データ名称と前記再生順序情報とを対応づけして記憶する新規情報データ生成ステップと、を有することを特徴とする編集プログラム。
【請求項１３】  記録媒体に記録されているテレビジョン放送番組各々に対応した複数の映像データ片に基づく編集を行うべく制御装置によって実行される編集プログラムであって、
検索条件を表す語句を入力する検索条件入力欄と共に前記記録媒体に記録されている前記テレビジョン放送番組各々を示す番組名称のリストを表示画面上に表示する編集画像表示ステップと、
前記表示画面上に表示されている前記テレビジョン放送番組各々の内から前記検索条件入力欄に入力された検索条件に適合する番組を夫々検索する検索ステップと、
前記検索ステップにて検索された前記テレビジョン放送番組各々を所定再生順番にて連続再生させるべき再生順序情報を生成する再生順序情報生成行程と、
前記検索条件入力欄に入力された語句に基づき番組名称を示す番組名称情報を作成する番組名称作成ステップと、
前記番組名称情報と前記再生順序情報とを対応づけして前記記録媒体に記録する新規番組生成ステップと、を有することを特徴とする編集プログラム。
【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】  移動する管理対象が自己の位置を計測し、基地との無線通信で計測した位置および動態を通知し、基地から管理を受ける位置動態管理方法であって、
管理対象は、
基地から指定範囲についての情報を入力し、
移動中に、計測した位置が指定範囲に入ったか否かを判断し、
指定範囲に入ったと判断されるときに、基地に位置および動態を無線通信で通知し、
基地から無線通信で与えられる情報を受けることを特徴とする位置動態管理方法。
【請求項２】  前記管理対象は、前記基地からの指定範囲についての情報を、着脱可能な記録媒体に記録された状態で入力することを特徴とする請求項１記載の位置動態管理方法。
【請求項３】  前記管理対象は、前記基地からの指定範囲についての情報を、予め定める緊急時は、前記無線通信で入力することを特徴とする請求項２記載の位置動態管理方法。
【請求項４】  前記管理対象は、前記基地からの指定範囲についての情報を、前記無線通信で入力することを特徴とする請求項１記載の位置動態管理方法。
【請求項５】  前記管理対象は、公共交通機関であり、予め複数の停止地点を通るように設定される運行経路に沿って移動し、
前記指定範囲は、次の停止地点に到達する手前側に設定され、
前記基地は、次の停止地点に関連する乗客に対する案内情報を、該管理対象に送ることを特徴とする請求項１〜４のいずれか１つに記載の位置動態管理方法。
【請求項６】  前記管理対象は、公共交通機関であり、予め複数の停止地点を通るように設定される運行経路に沿って移動し、
前記指定範囲は、次の停止地点に到達する手前側に設定され、
前記基地は、該管理対象から該指定範囲に入ったことを示す通知を受けた時刻に基づいて、次の停止地点に到達する予想時刻を算出して、該管理対象に知らせることを特徴とする請求項１〜５のいずれか１つに記載の位置動態管理方法。
【請求項７】  前記管理対象は、公共交通機関であり、予め設定される運行経路に沿って移動し、
前記指定範囲は、該運行経路の近傍に存在する事業所を基準に設定され、
前記基地は、該事業所に関連する乗客に対する広告を、該管理対象に送ることを特徴とする請求項１〜６のいずれか１つに記載の位置動態管理方法。
【請求項８】  前記管理対象は、公共交通機関であり、予め設定される運行経路に沿って移動し、
前記指定範囲は、該運行経路の近傍で開催される企画行事を基準に設定され、
前記基地は、該企画行事に関連する乗客に対する案内を、該管理対象に送ることを特徴とする請求項１〜７のいずれか１つに記載の位置動態管理方法。
【請求項９】  前記管理対象は、予め選択される案内地点を通るように設定される経路に沿って移動し、
前記指定範囲は、次の案内地点に到達する手前側に設定され、
前記基地は、次の案内地点に到達するための経路案内情報を、該管理対象に送ることを特徴とする請求項１〜４のいずれか１つに記載の位置動態管理方法。
【請求項１０】  前記管理対象は、前記基地からの無線通信による管理で動作状態の変更が可能な機器を備え、
前記指定範囲は、該機器の動作状態の変更が必要となる地点に到達する手前側に設定され、
該基地は、該機器に対する動作状態の変更を、該無線通信による管理で行うことを特徴とする請求項１〜９のいずれか１つに記載の位置動態管理方法。
【請求項１１】  前記管理対象は、トンネルが設けられる道路を走行する自動車であり、
前記機器は、該自動車に搭載されるラジオ受信機であり、
前記指定範囲は、トンネルに到達する手前側に設定され、
前記基地は、該ラジオ受信機が事故放送ラジオ局を選局するように制御することを特徴とする請求項１０記載の位置動態管理方法。
【請求項１２】  前記管理対象は、貴重品を輸送する移動手段であり、
前記機器は、該移動手段のドア開閉装置であり、
該ドア開閉装置は、いったんロックされると、該移動手段内からの解除操作と、前記基地からの前記無線通信を介する解除制御との両方がそろって、ロック状態の解除が可能となり、
前記指定範囲は、該貴重品の取扱い地点に基づいて設定されることを特徴とする請求項１０または１１記載の位置動態管理方法。
【請求項１３】  予め定める地域内で移動する管理対象の位置動態に基づいて管理する装置であって、
管理対象と無線通信を行う無線通信手段と、
管理対象が無線通信を行うべき範囲を指定する範囲指定手段と、
範囲指定手段が指定する範囲で、管理対象を管理すべき内容を表すデータを、該指定範囲と関連づけて記憶するデータベース手段と、
無線通信手段が管理対象から位置動態についての通知を受信するとき、該位置に基づいてデータベース手段を検索し、該位置が属する指定範囲に関連づけられて記憶されるデータを読出し、該データを管理対象に送るように制御する制御手段とを含むことを特徴とする位置動態管理装置。
【請求項１４】  前記データには、予め時間条件が指定され、
前記管理手段は、前記通知を受信する時刻が、該データの時間条件に適合するときに、該データを前記管理対象に送るように制御することを特徴とする請求項１３記載の位置動態管理装置。
【請求項１５】  コンピュータを、請求項１３または１４記載の位置動態管理装置として機能させるためのプログラムを記録したコンピュータ読取り可能な記録媒体。
【請求項１６】  予め定める地域内で移動する管理対象とともに移動しながら、基地から与えられる案内情報に基づく案内を行う装置であって、
基地と無線通信を行う無線通信手段と、
現在位置を計測する位置計測手段と、
基地から与えられる無線通信を行うべき指定範囲を記憶する範囲記憶手段と、
位置計測手段によって計測される現在位置が、範囲記憶手段に記憶されている指定範囲に入っているか否かを判断し、現在位置が指定範囲に入ったときには、無線通信手段を介して現在位置を基地に通知し、基地から送られてくる案内情報を受信し、該案内情報に基づく案内を行うように制御する案内制御手段とを含むことを特徴とする情報案内装置。
【請求項１７】  前記管理対象は、公共交通機関であり、
前記案内情報は、該公共交通機関の乗客に対する案内情報であることを特徴とする請求項１６記載の情報案内装置。
【請求項１８】  コンピュータを、請求項１６または１７記載の情報案内装置として機能させるためのプログラムを記録したコンピュータ読取り可能な記録媒体。
【手続補正２】
【補正対象書類名】明細書
【補正対象項目名】００１２
【補正方法】変更
【補正の内容】
【００１２】
【課題を解決するための手段】
本発明は、移動する管理対象が自己の位置を計測し、基地との無線通信で計測した位置および動態を通知し、基地から管理を受ける位置動態管理方法であって、
管理対象は、
基地から指定範囲についての情報を入力し、
移動中に、計測した位置が指定範囲に入ったか否かを判断し、
指定範囲に入ったと判断されるときに、基地に位置および動態を無線通信で通知し、
基地から無線通信で与えられる情報を受けることを特徴とする位置動態管理方法である。
【手続補正書】
【提出日】平成18年8月9日(2006.8.9)
【手続補正１】
【補正対象書類名】明細書
【補正対象項目名】請求項１
【補正方法】変更
【補正の内容】
【請求項１】電磁石の電磁力によって開閉駆動される機関バルブの駆動制御装置において、
前記機関バルブの実作動状態が目標作動状態と一致するように、これら実作動状態及び目標作動状態に応じて前記電磁石の通電制御を行い同電磁石の電磁力を制御する制御手段と、
前記機関バルブに加わる外力の大きさを推定する推定手段と、
前記推定される外力の大きさに応じて前記電磁力を変更すべく、前記推定される外力の大きさを加味して前記機関バルブの目標作動状態を設定する設定手段と、
を備えることを特徴とする機関バルブの駆動制御装置。
【手続補正２】
【補正対象書類名】明細書
【補正対象項目名】０００８
【補正方法】変更
【補正の内容】
【０００８】
【課題を解決するための手段】
以下、上記目的を達成するための手段及びその作用効果について記載する。
上記目的を達成するため、請求項１記載の発明では、電磁石の電磁力によって開閉駆動される機関バルブの駆動制御装置において、前記機関バルブの実作動状態が目標作動状態と一致するように、これら実作動状態及び目標作動状態に応じて前記電磁石の通電制御を行い同電磁石の電磁力を制御する制御手段と、前記機関バルブに加わる外力の大きさを推定する推定手段と、前記推定される外力の大きさに応じて前記電磁力を変更すべく、前記推定される外力の大きさを加味して前記機関バルブの目標作動状態を設定する設定手段と、を備えた。
【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】
低酸素状態の細胞および／または組織に酸素を供給するための人工酸素運搬体であって、ヘモグロビンと前記ヘモグロビンに対してモル比で０．１〜０．４の量のイノシトールヘキサホスフェートとを含有するｐＨ７．０〜９．０の溶液を内部に取り込んだリポソームからなる人工酸素運搬体。
【請求項２】
前記ヘモグロビンと酸素との結合率が５０％となるときの酸素分圧Ｐ50が、５〜２０Ｔｏｒｒである請求項１に記載の人工酸素運搬体。
【請求項３】
前記リポソームの外表面に親水性高分子化合物を有する請求項１または２に記載の人工酸素運搬体。
【請求項４】
前記親水性高分子化合物が、ポリエチレングリコール結合リン脂質である請求項３に記載の人工酸素運搬体。
【請求項５】
前記低酸素状態の細胞および／または組織が、血栓または栓塞で血流が阻害されて低酸素状態となった細胞および組織、ならびに、低酸素状態のガン細胞およびガン組織のいずれか一つ以上である請求項１〜４のいずれかに記載の人工酸素運搬体。
【請求項６】
前記溶液中における前記ヘモグロビンの濃度が、３０〜６０ｇ／ｄｌである請求項１〜５のいずれかに記載の人工酸素運搬体。
【手続補正２】
【補正対象書類名】明細書
【補正対象項目名】０００９
【補正方法】変更
【補正の内容】
【０００９】
即ち、本発明は、下記（１）〜（６）を提供する。
（１）低酸素状態の細胞および／または組織に酸素を供給するための人工酸素運搬体であって、ヘモグロビンと前記ヘモグロビンに対してモル比で０．１〜０．４の量のイノシトールヘキサホスフェートとを含有するｐＨ７．０〜９．０の溶液を内部に取り込んだリポソームからなる人工酸素運搬体。
（２）前記ヘモグロビンと酸素との結合率が５０％となるときの酸素分圧Ｐ50が、５〜２０Ｔｏｒｒである上記（１）に記載の人工酸素運搬体。
（３）前記リポソームの外表面に親水性高分子化合物を有する上記（１）または（２）に記載の人工酸素運搬体。
（４）前記親水性高分子化合物が、ポリエチレングリコール結合リン脂質である上記（３）に記載の人工酸素運搬体。
（５）前記低酸素状態の細胞および／または組織が、血栓または栓塞で血流が阻害されて低酸素状態となった細胞および組織、ならびに、低酸素状態のガン細胞およびガン組織のいずれか一つ以上である上記（１）〜（４）のいずれかに記載の人工酸素運搬体。
（６）前記溶液中における前記ヘモグロビンの濃度が、３０〜６０ｇ／ｄｌである上記（１）〜（５）のいずれかに記載の人工酸素運搬体。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正書】
【提出日】平成18年7月18日(2006.7.18)
【手続補正１】
【補正対象書類名】明細書
【補正対象項目名】特許請求の範囲
【補正方法】変更
【補正の内容】
【特許請求の範囲】
【請求項１】  プレイヤオブジェクトが表示領域を移動してキャラクタに遭遇する表示に関するゲームプログラムを実行するゲーム装置であって、
ゲームプログラムを記憶するプログラム記憶手段と、
時間情報を生成する時計手段と、
プレイヤがプレイヤオブジェクトの表示の制御を行うための操作手段と、
前記操作手段の操作に基づいて表示画像を変化させるための前記プログラムを実行する処理手段とを備え、
前記プログラム記憶手段は、前記時間情報によって時間基準を見積ると共に、少なくとも前記時間基準の見積り結果に基づいて前記表示領域に出現するキャラクタの出現条件を変化させるためのプログラムを記憶したことを特徴とするゲーム装置。
【請求項２】  前記プログラム記憶手段は、前記キャラクタの出現条件が前記時間基準の見積り結果に基づく所定の確率分布となるようにプログラムを記憶することを特徴とする、請求項１に記載のゲーム装置。
【請求項３】  前記表示領域がゲームマップによって表示され、
前記プログラム記憶手段は、前記ゲームマップ上の或る場所に出現するキャラクタの種類が前記時計手段の時間情報に基づく時間帯によって変化するようにプログラムを記憶することを特徴とする、請求項１に記載のゲーム装置。
【請求項４】  さらに、第１の乱数を発生する第１の乱数発生手段と、
前記キャラクタの出現条件に関するデータを前記第１の乱数と比較する第１の比較手段とを備え、
前記処理手段は、前記キャラクタの出現条件に関するデータが前記第１の乱数と所定の関係にあるときには、前記キャラクタの出現処理を実行することを特徴とする、請求項２に記載のゲーム装置。
【請求項５】  さらに、第２の乱数を発生する第２の乱数発生手段と、
異なる値を示す複数のキャラクタポインタと前記第２の乱数を比較する第２の比較手段とを備え、
前記処理手段は、前記キャラクタポインタの内で前記第２の乱数と所定の関係にあるキャラクタポインタが示すキャラクタの表示を制御することを特徴とする、請求項４に記載のゲーム装置。
【請求項６】  前記キャラクタは、性別を有する架空の生物であり、
前記プログラム記憶手段は、性別の異なる同一の種類の生物がつがいの状態で同一の領域に存在させられたとき、所定の時間を経過した後に、当該種類の生物の両性の属性を受け継いだ子供が誕生するようにプログラムを記憶する、請求項１に記載のゲーム装置。
【請求項７】  プレイヤオブジェクトが表示領域を移動してキャラクタに遭遇する表示に関するゲーム装置を制御するゲームプログラムを記憶した媒体であって、
前記ゲームプログラムは、
時間情報を生成するステップと、
プレイヤによるプレイヤオブジェクトの操作を検出するステップと、
前記検出されたプレイヤオブジェクトの操作に基づいて表示画像を変化させるステップと、
前記時間情報によって時間基準を見積るステップと、
少なくとも前記時間基準の見積り結果に基づいて前記表示領域に出現するキャラクタの出現条件を変化させるステップとを前記ゲーム装置に実行させることを特徴とする記憶媒体。
【請求項８】  プレイヤオブジェクトが表示領域を移動してキャラクタに遭遇する表示に関するゲーム装置を動作させる方法であって、
時間情報を生成するステップと、
操作手段の作用に応じて前記プレイヤオブジェクトの動作を制御するステップと、
前記プレイヤオブジェクトの操作に基づいて表示画像を変化させるステップと、
前記時間情報によって時間基準を見積るステップと、
少なくとも前記時間基準の見積り結果に基づいて前記表示領域に出現するキャラクタの出現条件を変化させるステップとを備える、方法。
【請求項９】  前記キャラクタの出現条件を変化させるステップは、前記キャラクタの出現条件の前記時間情報に基づく所定の確率分布に関連するデータを記憶するステップを含むことを特徴とする、請求項８に記載の方法。
【請求項１０】  前記表示領域がゲームマップによって表示され、
さらに、前記時間情報に基づいて変化する前記ゲームマップ上の或る場所に出現するキャラクタの種類に関連するデータを記憶するステップを含むことを特徴とする、請求項８に記載の方法。
【請求項１１】  さらに、第１の乱数を発生するステップと、
前記キャラクタの出現条件に関するデータを前記第１の乱数と比較するステップと、
前記キャラクタの出現条件に関するデータが前記第１の乱数と所定の関係にあるときには、前記キャラクタを表示するステップとを含むことを特徴とする、請求項８に記載の方法。
【請求項１２】  さらに、第２の乱数を発生するステップと、
異なる値を示す複数のキャラクタポインタと前記第２の乱数を比較するステップと、
前記キャラクタポインタの内で前記第２の乱数と所定の関係にあるキャラクタポインタが示すキャラクタの前記ゲームマップ上での表示を制御するステップとを含むことを特徴とする、請求項１１に記載の方法。
【請求項１３】  前記キャラクタは、性別を有する架空の生物であり、
さらに、性別の異なる同一の種類の生物をつがいの状態にするステップと、
前記同一のゲームマップ上で前記つがいの状態を保持するステップと、
前記種類の生物の両性の属性を受け継いだ子供に関連するデータを記憶するステップと、
所定の時間が経過したことに基づいて、前記子供を誕生させる予定を決定するステップとを含むことを特徴とする、請求項８に記載の方法。
【手続補正書】
【提出日】平成18年10月16日(2006.10.16)
【手続補正１】
【補正対象書類名】明細書
【補正対象項目名】特許請求の範囲
【補正方法】変更
【補正の内容】
【特許請求の範囲】
【請求項１】  有価価値情報が書き換え可能に記録された記録媒体の装着に基づいて遊技媒体の貸出制御を行う遊技媒体貸出機と、
前記遊技媒体貸出機に接続される遊技機と、を含み、
前記遊技機は、
遊技プログラムに従って遊技の進行を制御する遊技制御部と、
前記遊技媒体の排出制御を行う排出制御部と、
前記遊技媒体貸出機の貸出操作部と、を備えた遊技装置において、
前記遊技制御部は、
前記遊技の進行の制御を開始する前に、前記遊技プログラムの正当性を判定し、正当な遊技プログラムであることが判定された場合に前記遊技プログラムに処理を渡す遊技プログラム判定手段と、
ユニークな個体情報を記憶する記憶手段と、を備え、
前記遊技媒体貸出機は、
前記貸出操作部からの入力に基づいて排出制御部に貸出指令を行う貸出制御手段と、
前記記憶手段に記憶されたユニークな個体情報および（または）遊技プログラム判定手段の判定結果に基づいて、接続されている遊技制御部の正当性を判定する判定手段と、
前記判定手段の判定結果を報知する報知手段と、を備え、
前記判定手段は、
前記遊技制御部の正当性が判定されなかった場合に前記貸出制御手段を不能動化状態にすることを特徴とする遊技装置。
【請求項２】  前記遊技機は、遊技媒体貸出可能状態を表示する遊技媒体貸出可能表示器を備え、
前記遊技媒体貸出機は、前記不能動化状態において前記遊技媒体貸出可能表示器に遊技媒体貸出不能表示を行うことを特徴とする請求項１に記載の遊技装置。
【請求項３】  前記遊技機は、前記記録媒体の読み取りや書き換えを行う記録媒体Ｒ／Ｗ装置を備え、
前記遊技媒体貸出機は、前記不能動化状態において前記記録媒体Ｒ／Ｗ装置の前記記録媒体の装着状態を禁止することを特徴とする請求項１又は請求項２に記載の遊技装置。
【請求項４】  前記遊技機は、遊技用演算処理装置を搭載した遊技制御装置と、遊技媒体の排出を制御する排出制御装置と、前記排出制御装置と前記遊技媒体貸出機との接続を中継する中継基板と、を備え、
前記遊技媒体貸出機と前記遊技用演算処理装置とは、第一ハーネスにより通信可能に接続され、
前記遊技媒体貸出機と前記排出制御装置とは、前記第一ハーネスに設けられたコネクタとコネクタ形状を物理的に異にする第二ハーネスにより中継基板を介して通信可能に接続されることを特徴とする請求項１ないし３の何れかに記載の遊技装置。
【手続補正２】
【補正対象書類名】明細書
【補正対象項目名】０００５
【補正方法】変更
【補正の内容】
【０００５】
【課題を解決するための手段】
上記目的を達成するため、請求項１に記載の発明に係る遊技装置は、有価価値情報が書き換え可能に記録された記録媒体の装着に基づいて遊技媒体の貸出制御を行う遊技媒体貸出機と、
前記遊技媒体貸出機に接続される遊技機と、を含み、
前記遊技機は、
遊技プログラムに従って遊技の進行を制御する遊技制御部と、
前記遊技媒体の排出制御を行う排出制御部と、
前記遊技媒体貸出機の貸出操作部と、を備えた遊技装置において、
前記遊技制御部は、
前記遊技の進行の制御を開始する前に、前記遊技プログラムの正当性を判定し、正当な遊技プログラムであることが判定された場合に前記遊技プログラムに処理を渡す遊技プログラム判定手段と、
ユニークな個体情報を記憶する記憶手段と、を備え、
前記遊技媒体貸出機は、
前記貸出操作部からの入力に基づいて排出制御部に貸出指令を行う貸出制御手段と、
前記記憶手段に記憶されたユニークな個体情報および（または）遊技プログラム判定手段の判定結果に基づいて、接続されている遊技制御部の正当性を判定する判定手段と、
前記判定手段の判定結果を報知する報知手段と、を備え、
前記判定手段は、
前記遊技制御部の正当性が判定されなかった場合に前記貸出制御手段を不能動化状態にすることを特徴とする。
これによれば、遊技機の遊技媒体の貸出制御が、この遊技機に接続された遊技媒体貸出機から行われるとともに、遊技機の遊技制御に先立ち、遊技機の遊技プログラムの正当性が判定され、その判定結果および（または）遊技機のユニークな個体情報が遊技媒体貸出機に伝えられ、これらの判定結果（および）または個体情報に基づいて遊技媒体貸出機で遊技機の正当性が判定され、その判定結果が報知されるとともに、判定手段は、遊技制御部の正当性が判定されなかった場合に貸出制御手段を不能動化状態にするので、遊技制御手段の正当性が判定されなかった場合に遊技媒体の貸出制御が行われなくなる。
また、請求項１記載の発明に従属する請求項２記載の発明は、記遊技機は、遊技媒体貸出可能状態を表示する遊技媒体貸出可能表示器を備え、
前記遊技媒体貸出機は、前記不能動化状態において前記遊技媒体貸出可能表示器に遊技媒体貸出不能表示を行うことを特徴とする。
請求項１又は請求項２の発明に従属する請求項３記載の発明は、前記遊技機は、前記記録媒体の読み取りや書き換えを行う記録媒体Ｒ／Ｗ装置を備え、
前記遊技媒体貸出機は、前記不能動化状態において前記記録媒体Ｒ／Ｗ装置の前記記録媒体の装着状態を禁止することを特徴とする。
請求項１ないし３の何れかの発明に従属する請求項４記載の発明は、前記遊技機は、遊技用演算処理装置を搭載した遊技制御装置と、遊技媒体の排出を制御する排出制御装置と、前記排出制御装置と前記遊技媒体貸出機との接続を中継する中継基板と、を備え、
前記遊技媒体貸出機と前記遊技用演算処理装置とは、第一ハーネスにより通信可能に接続され、
前記遊技媒体貸出機と前記排出制御装置とは、前記第一ハーネスに設けられたコネクタとコネクタ形状を物理的に異にする第二ハーネスにより中継基板を介して通信可能に接続されることを特徴とする。
【手続補正３】
【補正対象書類名】明細書
【補正対象項目名】００７０
【補正方法】変更
【補正の内容】
【００７０】
【発明の効果】
請求項１から請求項３に記載の発明によれば、遊技機の遊技媒体の貸出制御が、この遊技機に接続された遊技媒体貸出機から行われるとともに、遊技機の遊技制御に先立ち、遊技機の遊技プログラムの正当性が判定され、その判定結果および（または）遊技機のユニークな個体情報が遊技媒体貸出機に伝えられ、これらの判定結果（および）または個体情報に基づいて遊技媒体貸出機で遊技機の正当性が判定され、その判定結果が報知される。したがって、不正を確実に判定して報知を行うことができ、速やかに所要の処置を講じて、ホールの経済的損失を回避することができる。しかも、遊技媒体の貸出機能に加えて、さらに、接続される遊技機の不正検出を行う機能を遊技媒体貸出機に付加することができ、遊技媒体貸出機の付加価値を高めて市場ニーズに応えることができる。そして、遊技制御手段の正当性が判定されなかった場合に遊技媒体の貸出制御が行われなくなる。したがって、遊技店の経済的損失を確実に回避できるとともに、遊技者への迷惑も回避することができる。
請求項４に記載の発明によれば、新たに不正情報収集用のネットワークを構築する必要がなく、ホールの改修コストを軽減できるばかりか、改修のための工事期間も短くて済み、既存のホールに導入しやすい有益な技術を提供することができる。また、ハーネスの接続間違いを確実に防止できる。
【手続補正書】
【提出日】平成18年10月31日(2006.10.31)
【手続補正１】
【補正対象書類名】明細書
【補正対象項目名】特許請求の範囲
【補正方法】変更
【補正の内容】
【特許請求の範囲】
【請求項１】  獲得した景品玉を計数する計数装置と、該計数装置により計数された計数値を表示する情報表示部と、前記計数装置により計数された計数値を記憶する預玉記憶部と、該預玉記憶部に記憶された計数値を記録媒体に記録し発行する読書き装置と、少なくとも前記計数値が記録された記録媒体の記録値に基づいて遊技玉を貸し出す玉貸機と、が各パチンコ機毎に対応して設けられる景品玉交換装置を備えたパチンコ島台において、
前記景品玉交換装置は、所定の操作に基づき、前記預玉記憶部の記憶値または前記記録媒体の記録値から所定値を減算すると共に、該減算値を提示する減算値提示手段を備えたことを特徴とするパチンコ島台。
【請求項２】  前記減算値提示手段は、前記減算値を記録した減算値記録媒体を払い出す減算値記録媒体発行機を有することを特徴とする請求項１記載のパチンコ島台。
【請求項３】  前記景品玉交換装置は、前記記録媒体に記録される計数値が、前記預玉記憶部に記録される計数値に優先して減算されることを特徴とする請求項１又は請求項２記載のパチンコ島台。
【請求項４】  前記景品玉交換装置は、前記記録媒体を使用して遊技を行う場合の暗証番号入力と前記減算値の入力のいずれの操作も可能な共通の数値入力キーを有することを特徴とする請求項１乃至請求項３いずれか記載のパチンコ島台。
【手続補正書】
【提出日】平成18年5月31日(2006.5.31)
【手続補正１】
【補正対象書類名】明細書
【補正対象項目名】００２５
【補正方法】変更
【補正の内容】
【００２５】
即ち、脚リンク２は、股関節（腰関節）１０Ｒ（Ｌ），１２Ｒ（Ｌ），１４Ｒ（Ｌ）、膝関節１６Ｒ（Ｌ）、足関節１８Ｒ（Ｌ），２０Ｒ（Ｌ）を備える。股関節と膝関節は大腿リンク２４Ｒ（Ｌ）で、膝関節と足関節は下腿リンク２６Ｒ（Ｌ）で連結される。
【手続補正２】
【補正対象書類名】明細書
【補正対象項目名】００２８
【補正方法】変更
【補正の内容】
【００２８】
即ち、腕リンク５は、肩関節３０Ｒ（Ｌ），３２Ｒ（Ｌ），３４Ｒ（Ｌ）、肘関節３６Ｒ（Ｌ）、手首関節３８Ｒ（Ｌ），４０Ｒ（Ｌ），４２Ｒ（Ｌ）を備える。肩関節と肘関節は上腕リンク４６Ｒ，４６Ｌで、肘関節と手首関節は下腕リンク４８Ｒ，４８Ｌで連結される。
【手続補正書】
【提出日】平成18年10月30日(2006.10.30)
【手続補正１】
【補正対象書類名】明細書
【補正対象項目名】請求項１
【補正方法】変更
【補正の内容】
【請求項１】 テーブル後方に上刃及び下刃とバックゲージとコンベア装置をそれぞれ設置し、上記バックゲージをコンベア装置に組み込み、該バックゲージの突当を、コンベア装置に対して前後方向、上下方向に移動自在に設けたことを特徴とするシャーリングマシン。
【手続補正２】
【補正対象書類名】明細書
【補正対象項目名】００２２
【補正方法】変更
【補正の内容】
【００２２】
上記課題を解決するため、本発明は、図１に示すように、
テーブル２後方に上刃６及び下刃３とバックゲージ７とコンベア装置１２をそれぞれ設置し、上記バックゲージ７をコンベア装置１２に組み込み、該バックゲージ７の突当１０を、コンベア装置１２に対して前後方向、上下方向に移動自在に設けたことを特徴とするシャーリングマシンという手段を講じている。
【手続補正書】
【提出日】平成18年5月10日(2006.5.10)
【手続補正１】
【補正対象書類名】明細書
【補正対象項目名】００２３
【補正方法】変更
【補正の内容】
【００２３】
チップ２３は、超硬合金またはセラミックのような耐摩耗性材料で製作されており、その全体として円筒状に形成された円弧状の外周面には、それぞれ所定の形状に形成された複数個の溝２３ａが形成されており、内周面には、コア２２に結合する滑らかな曲線で形成された凸部２３ｂが形成されている。チップ２３の凸部２３ｂの形状は、底部を除いて、コア２２の逆Ｔ溝状の凹部２２ｂと同一の形状となっており、コア２２の逆Ｔ溝状の凹部２２ｂとチップ２３の凸部２３ｂとが全面で密着するように精密に加工することが必要である。そして、このように精密に加工したコア２２の凹部２２ｂにチップ２３の凸部２３ｂを嵌入し、相互に密着するように固定してチップの結合部を形成し、この結合部でコア２２とチップ２３とを一体に結合して固定する。
【手続補正書】
【提出日】平成18年10月31日(2006.10.31)
【手続補正１】
【補正対象書類名】明細書
【補正対象項目名】００１７
【補正方法】変更
【補正の内容】
【００１７】
生ごみを小規模で処理するとき、例えば、一つの醗酵槽で非連続的に醗酵分解する場合、上記醗酵分解菌の存在下、生ごみを投入して空気を吹き込み、醗酵処理を開始する。醗酵処理開始後、最初の段階においては、生ごみそのものの臭気および生ごみが醗酵して分解する際に生成する悪臭成分が複合して強烈な臭気を発生する。この初期段階において、柿果汁を存在させて生ごみの醗酵分解を行ない、柿果汁の消臭、脱臭作用により、発生した排ガスの消臭、脱臭を行なう。時間の経過とともに、硫黄酸化細菌、硝化細菌等、悪臭成分分解菌の馴養が進行し、これらの菌が増殖すると、柿果汁による悪臭成分の中和、包接作用と微生物による悪臭成分の分解が相乗的に作用して排ガスの脱臭を効果的に行なうことができる。
【手続補正２】
【補正対象書類名】明細書
【補正対象項目名】００２７
【補正方法】変更
【補正の内容】
【００２７】
上記の装置により生ごみの醗酵分解を行なうとき、通常、前回に処理した生ごみの１／１０〜１／３を、次回の醗酵処理の種として醗酵槽２に残留させる。そこへ、新たに生ごみを投入して、生ごみの醗酵分解を行なうのであるが、その際に柿しぶを同時に投入する。柿しぶは液体でも粉末でも用いることができるが、醗酵槽２内の湿度に影響を与えることが少ないという点で、粉末柿しぶが好ましい。柿しぶの添加量としては特に限定されないが、通常、生ごみ１ｋｇに対して０．１〜３００ｇ用いる。醗酵処理開始後、通常、約５時間以内が特に臭気の発生が著しいため、この間は主として、柿しぶによる消臭、脱臭を行なう。もちろん、上記醗酵槽２に残留させた種に含まれている硫黄酸化菌、硝化菌等による悪臭成分の分解も行なわれているが、馴養が進んでいないため、十分ではない。
【手続補正３】
【補正対象書類名】明細書
【補正対象項目名】００２８
【補正方法】変更
【補正の内容】
【００２８】
そこで、馴養期間を短くし、早期に柿しぶによる消臭、脱臭と、微生物による脱臭の相乗効果により排ガスの脱臭を行なうため、別途、硫黄酸化細菌、硝化細菌等の悪臭成分分解菌を培養して、生ごみと共に醗酵槽２に投入する方法が好ましく用いられる。これらの菌の例として、硫黄酸化細菌としては、Ｔｈｉｏｂａｃｉｌｌｕｓ  ｔｈｉｏｐａｒｕｓ、Ｔｈｉｏｂａｃｉｌｌｕｓ  ｆｅｒｒｏｏｘｉｄａｎｓ、  Ｔｈｉｏｂａｃｉｌｌｕｓ  ｔｈｉｏｏｘｉｄａｎｓ、Ｔｈｉｏｂａｃｉｌｌｕｓ  ａｌｂｅｒｔｉｓ、  Ｔｈｉｏｂａｃｉｌｌｕｓ  ａｃｉｄｏｐｈｉｌｕｓ等が挙げられ、硝化細菌の例としては、Ｎｉｔｒｏｓｏｍｏｎａｓ  ｅｕｒｏｐａｅａ、  Ｎｉｔｒｏｂａｃｔｅｒ  ｗｉｎｏｇｒａｄｓｋｙｉｉ等が挙げられる。上記の菌は、通常、培養された状態で、菌培養有機物として用いられる。
【手続補正４】
【補正対象書類名】明細書
【補正対象項目名】００２９
【補正方法】変更
【補正の内容】
【００２９】
図２は、本発明の第２の側面にかかる脱臭装置の概略構成図である。悪臭排ガスは、排ガス送入手段、通常、ブロワ２１によって充填塔２２に送入される。この充填塔２２には、硫黄酸化細菌、硝化細菌等の微生物を担持した担体２３が充填されており、この充填塔２２の上部から微生物の活性保持に必要な水分が水供給手段としての給水ポンプ２４から供給される。充填塔２２の上部に供給された水は、通常、シャワー状に散水され、散水された水分は上段に充填された担体２３から下段に充填された担体２３に順次自然に流下して行き、各層の担体２３に十分に供給されるようにする。また、担体２３は上記のように複層とせず単一の層としてもよい。水が余剰に供給された場合、排水口を設けて排水すればよい。悪臭成分を分解、除去された排ガスは、脱臭ガス出口２７から装置外に排出される。
【手続補正書】
【提出日】平成18年1月16日(2006.1.16)
【手続補正１】
【補正対象書類名】明細書
【補正対象項目名】発明の名称
【補正方法】変更
【補正の内容】
【発明の名称】インクジェットヘッドのキャリッジ及びそれを使用した画像形成装置
【手続補正２】
【補正対象書類名】明細書
【補正対象項目名】特許請求の範囲
【補正方法】変更
【補正の内容】
【特許請求の範囲】
【請求項１】  記録用紙にインクを噴射して印字するインクジェットヘッドを着脱自在に搭載するキャリッジであって、
ヘッドの挿入側を基点にして回動自在に設けられた電気的接続板と、ヘッドの挿入側を基点にして回動自在に設けられ電気的接続板に加圧力を加える加圧板と、加圧板を加圧して加圧板と電気的接続板を回動する加圧手段とを有し、加圧手段で加圧板に加えられる加圧力により電気的接続板を、装着されたヘッドの電極に圧接することを特徴とするインクジェットヘッドのキャリッジ。
【請求項２】  上記加圧板と電気的接続板の間に弾性体のパッドを設けた請求項１記載のインクジェットヘッドのキャリッジ。
【請求項３】  上記加圧手段は加圧板のほぼ中心に加圧力を加える請求項１又は２記載のインクジェットヘッドのキャリッジ。
【請求項４】  上記加圧手段はバネの弾性力で加圧板に加圧力を加える請求項１，２又は３記載のインクジェットヘッドのキャリッジ。
【請求項５】  請求項１乃至４のいずれかのキャリッジを使用したことを特徴とする画像形成装置。
【手続補正３】
【補正対象書類名】明細書
【補正対象項目名】０００１
【補正方法】変更
【補正の内容】
【０００１】
【発明の属する技術分野】
この発明は、インクジェット噴射式のヘッドを搭載するキャリッジ及びインクジェット噴射式のプリンタやファクシミリ，複写機等の画像形成装置、特にキャリッジに着脱自在なインクジェットヘッドとキャリッジの電気的な接続の簡素化と安定化に関するものである。
【手続補正４】
【補正対象書類名】明細書
【補正対象項目名】０００４
【補正方法】変更
【補正の内容】
【０００４】
この発明はかかる短所を改善し、簡単な構成と少ない部品点数でキャリッジに設けたＦＰＣとヘッドの電極を確実に電気的に接続することができるインクジェットヘッドのキャリッジ及びそれを使用した画像形成装置を提供することを目的とするものである。
【手続補正５】
【補正対象書類名】明細書
【補正対象項目名】０００８
【補正方法】変更
【補正の内容】
【０００８】
この発明に係る画像形成装置は上記キャリッジを使用したことを特徴とする。
【手続補正６】
【補正対象書類名】明細書
【補正対象項目名】００２０
【補正方法】変更
【補正の内容】
【００２０】
また、上記のように構成したキャリッジ２をインクジェット噴射式のプリンタやファクシミリ，複写機に使用することにより、ヘッド１を安定して駆動して、安定したインク噴射特性でインク滴を噴射することができ、良質な画像を安定して形成することができる。
【手続補正７】
【補正対象書類名】明細書
【補正対象項目名】００２５
【補正方法】変更
【補正の内容】
【００２５】
さらに、このキャリッジをインクジェット噴射式のプリンタやファクシミリ，複写機等に使用することにより、ヘッドを安定して駆動して、安定したインク噴射特性でインク滴を噴射することができ、良質な画像を安定して形成することができる。